(57)【要約】【課題】  香水発散機能を備えたアクセサリーにおいて、常時香水が発散し続けることなく長期間持つようにすること【解決手段】  着脱可能なプラグ本体１２と、ソケット本体１３とを備え、プラグ本体とソケット本体の一端は、アクセサリーを構成する紐状部に連携する。ソケット本体内に香水用のタンク２０を設け、プラグ本体内に貯留部材１７を設ける。タンクは、そのタンクの操作部の押し込みに伴い一定量の香水が流出するワンプッシュ式である。プラグ本体とソケット本体の接合する先端面には、それぞれ弁機構を設け、接合することで弁が開いてプラグ本体とソケット本体の空間がつながるとともに、第１弁体１５がタンクの操作部を押し込むことでタンクから出た香水が貯留部材に至る。貯留部材から、叙情に香水が揮発し、小貫通孔１２ｃから外部に拡散する。【選択図】  図３
2011098042.tif 000002
【特許請求の範囲】
【請求項１】
着脱可能なプラグ本体と、ソケット本体とを備え、
それらプラグ本体とソケット本体の一端は、アクセサリーを構成する紐状部に連携する部位となり、
前記プラグ本体と前記ソケット本体の少なくとも一方には、香水用タンクを備え、
その香水用タンクは、その香水用タンクの操作部の押し込みに伴い一定量の香水が流出するワンプッシュ式とし、
その流出した香水が留め具の周囲に発散するように構成したことを特徴とするアクセサリー用留め具。
【請求項２】
前記プラグ本体と前記ソケット本体とを連結することで、前記香水用タンクの操作部の押し込みが行われるように構成したことを特徴とすることを請求項１に記載のアクセサリー用留め具。
【請求項３】
前記プラグ本体と前記ソケット本体の少なくとも一方に、香水用タンクから流出した香水を一時的に貯留する貯留部材を備え、
前記留め具の周囲に発散する香水は、その貯留部材に貯留された香水に基づくものであることを特徴とする請求項１または２に記載のアクセサリー用留め具。
【請求項４】
前記香水用タンクと前記貯留部材とは、前記前記プラグ本体と前記ソケット本体に別々に配置され、
前記プラグ本体と前記ソケット本体の接合する先端面には、それぞれ弁機構を設け、接合することで弁が開いて前記プラグ本体と前記ソケット本体の空間がつながり、前記香水用タンクから出た香水が前記貯留部材に至るようにしたことを特徴とする請求項３に記載のアクセサリー用留め具。
【請求項５】
前記プラグ本体と前記ソケット本体のうち、前記香水用タンクを備えた側の弁機構を構成する弁体が、内部に押し込まれることで、前記香水用タンクの操作部の押し込みが行われるように構成したことを特徴とする請求項４に記載のアクセサリー用留め具。
【請求項６】
前記プラグ本体とソケット本体の一端に設けられる紐状部に連携する部位は、その芋上部に対して着脱自在にしたことを特徴とする請求項１〜５のいずれか１項に記載のアクセサリー用留め具。
【請求項７】
紐状部と、
その紐状部の両端に接続される、請求項１〜６のいずれかに記載の留め具を構成する前記プラグ本体と前記ソケット本体と、
を備えたことを特徴とするアクセサリー。
【発明の詳細な説明】
【技術分野】
【０００１】
本発明は、ブレスレット、ネックレス・ペンダント等のアクセサリー用留め具及びそれを用いたアクセサリーに関する。
【背景技術】
【０００２】
装身具の一つとして、ブレスレットやネックレス等の紐状部を備え、その紐状部（アクセサリー本体）を身体の所定位置に装着するアクセサリーがある。通常、この種のアクセサリーでは、紐状部を無端状にするため、その紐状部の両端に留め具を取り付けている。この種のアクセサリーは、視覚に訴えるものである。
【０００３】
一方、香水等の嗅覚に訴えるものもある。これは、所定の噴霧器に収納された香水を身体に向けて噴射することで使用する。この香水等は、一般に首の周辺に吹き付けて使用することが多い。
【０００４】
そこで、特許文献１に示すように、アクセサリーに香水等の機能を組み込んだものがある。これは、予め紐状部に香水等の香りの元となる液体を含ませておく。これにより、徐々に当該液体が、蒸発することで、香水等が周辺に発散する。
【先行技術文献】
【特許文献】
【０００５】
【特許文献１】特開２００２−８５１２３
【発明の概要】
【発明が解決しようとする課題】
【０００６】
上述した特許文献１に開示された発明では、紐状部に含漬された香水等は、常時発散するため、長期にわたって香りを発散し続けることは困難である。また、特許文献１に示すようにアロマテラピー効果を発揮する場合には、常時香りが発散していても良いかもしれないが、香水のような成分の香りが常時発散しつづけるのはあまり好ましいものではない。さらに、紐状部から発散された香りは、そのまま周囲に拡散するため、香水のように身体に向けて吹き付けて付着させ、身体から香りを発散させるような効果は期待できない。さらにまた、装着しないでしまっているときも香りが発散し続けるため、香水の無駄な使用になり好ましくない。
【課題を解決するための手段】
【０００７】
上記の課題を解決するために、本発明は、（１）着脱可能なプラグ本体と、ソケット本体とを備え、それらプラグ本体とソケット本体の一端は、アクセサリーを構成する紐状部に連携する部位となり、前記プラグ本体と前記ソケット本体の少なくとも一方には、香水用タンクを備え、その香水用タンクは、その香水用タンクの操作部の押し込みに伴い一定量の香水が流出するワンプッシュ式とし、その流出した香水が留め具の周囲に発散するように構成した。留め具内にワンプッシュ式の香水用タンクを設けたことで、香水用タンクに充填されている香水が、操作部を一回押し込むごとに所定量だけ排出される。よって、常時香水が揮発することがないので、長持ちすると共に、しまっているときなど不要なときに香水を発散させないですむ。
【０００８】
（２）前記プラグ本体と前記ソケット本体とを連結することで、前記香水用タンクの操作部の押し込みが行われるように構成するとよい。このようにすると、身体にアクセサリーを装着するために留め具を止める操作を行うことで、自動的に位階分の香水が発散するので、操作性が向上する。
【０００９】
（３）前記プラグ本体と前記ソケット本体の少なくとも一方に、香水用タンクから流出した香水を一時的に貯留する貯留部材を備え、前記留め具の周囲に発散する香水は、その貯留部材に貯留された香水に基づくものとするとよい。貯留部材に一時的に香水を蓄えることで、香水が発散する時間を長持ちさせることができる。
【００１０】
（４）前記香水用タンクと前記貯留部材とは、前記前記プラグ本体と前記ソケット本体に別々に配置され、前記プラグ本体と前記ソケット本体の接合する先端面には、それぞれ弁機構を設け、接合することで弁が開いて前記プラグ本体と前記ソケット本体の空間がつながり、前記香水用タンクから出た香水が前記貯留部材に至るようにするとよい。
【００１１】
（５）上記（４）を前提とし、前記プラグ本体と前記ソケット本体のうち、前記香水用タンクを備えた側の弁機構を構成する弁体が、内部に押し込まれることで、前記香水用タンクの操作部の押し込みが行われるように構成するとよい。
【００１２】
（６）前記プラグ本体とソケット本体の一端に設けられる紐状部に連携する部位は、その芋上部に対して着脱自在にするとよい。
【００１３】
（７）本発明のアクセサリーは、紐状部と、その紐状部の両端に接続される、上記の（１）〜（６）のいずれかに記載の留め具を構成する前記プラグ本体と前記ソケット本体と、を備えるとよい。
【発明の効果】
【００１４】
本発明は、アクセサリーの一部に組み込んだ香水用タンクから香水が常時発散するのではないので、長時間持つ。
【図面の簡単な説明】
【００１５】
【図１】本発明の好適な一実施形態を示す図である。
【図２】その要部断面図である。
【図３】本発明の別の実施形態を示す断面図である。
【図４】本発明の別の実施形態を示す断面図である。
【発明を実施するための形態】
【００１６】
以下、図面を用いて本発明の好適な実施形態を説明する。本実施形態では、ネックレスに適用した例を示している。このネックレスは、所定長さの紐状部１０の両端に、留め具１１を構成する筒状のプラグ本体１２とソケット本体１３をそれぞれ取り付けている。そのプラグ本体１２とソケット本体１３の先端同士が着脱可能となり、図１（ｂ）に示すようにプラグ本体１２とソケット本体１３とを離した状態で紐状部１０を首に掛け、その後プラグ本体１２とソケット本体１３とを連結することで紐状部１０を無端状にして首への装着を完了する。
【００１７】
紐状部１０は、金属チェーン，ロープ，各種の糸の編み込み，合成樹脂等各種のものを利用できる。すなわち、金属チェーンなどを用いて、もっぱら装飾を主にしたものでも良いし、フェライト・チタン・プラチナ・磁石その他の各種の金属等を合成樹脂に充填したり、表面に装着し、各種の機能を発揮させたりするものでもよい。また、このネックレスを装着したときの留め具１１の位置は、一般の装飾を主としたアクセサリーのように、首の後側にする場合と、最近のスポーツ選手等が愛用している運動時に装着するものなどで適用されている前側にする場合のいずれでも良い。
【００１８】
留め具１１を構成するプラグ本体１２とソケット本体１３とは、図示省略する連結機構により、ワンタッチで着脱し、連結状態を保持できるようになっている。つまり、プラグ本体１２の先端を、ソケット本体１３の先端に押しつけることで、所定のロック機構が働き、連結された状態を維持する。そして、各種の操作部（レバー・ボタン等）を操作することで、連結が解除されて、プラグ本体１２とソケット本体１３とを離反させることができる。なお、この種のワンタッチでロック・解除する機構は、従来公知のものであるのでその説明を省略する。
【００１９】
ソケット本体１３は、全体としては中空の円筒状となる。そのソケット本体１３の後端側にて、紐状部１０の一端にカシメ付けその他の方法で固定されている。また、ソケット本体１３の先端面１３ａの中央部位は、貫通孔１３ｂを設けている。そして、ソケット本体１３の内部空間内には、ワンプッシュ式のボトル２０を収納している。このボトル２０内に香水を充填しておく。このワンプッシュ式のボトル２０は、ポンプ機構を備え、操作部を１回押すと、ボトル２０内に充填されている液体（本実施形態では、香水）が所定量だけ外部に排出されるものである。
【００２０】
また、ソケット本体１３の周囲には、操作レバー２１が軸方向に移動可能に設けられている。この操作レバー２１は、ポンプ２０の操作部に連携されており、その操作レバー２１をソケット本体１３の一端側に移動（先端側から離れる方向に移動）させると、上記のポンプ２０の操作部が１回プッシュされ、ボトル２０内の香水が１回分噴射される。ポンプ２０の吹き出し口は、ソケット本体１３の先端面１２ａ側に向いており、この噴射された香水は、その先端面１２ａ側に進むことになる。また、一般の香水用のボトルは、吹き出し口に噴霧機構を設け、霧状にスプレーするようになっているが、このポンプ２０では係る機能を設けておらず、ポンプ２０内にある香水が、その液体のまま一定量だけ排出されるようにしている。さらに、図示省略するが、ソケット本体１３の側面には、ポンプ２０に連通する補充用口が設けられており、その補充用口からポンプ２０内に香水（液体）を供給して補充できるようにしている。もちろん、この補充用口は、通常は閉塞しており、補充用口からポンプ２０内の香水が逆流して漏れ出たり、揮発して発散したりすることはないようにしている。この補充用口は、開閉蓋（キャップ）で開口部位を閉塞するようにしても良いし、サッカーその他の各種の球技用のボールにおける空気補充用口のようにスリット入りのゴムなどで、常時はそのスリット部分が閉塞しており、補充時にそのスリット内にノズルを押し込むことで開口するようなものでもよいし、軟式テニスボールのようにスリットなど設けず、当該ゴム部分に針を差し込むようにしてもよく、各種の機構で実現できる。
【００２１】
また、ソケット本体１３内の先端近傍には、第１弁体１５が配置される。この第１弁体１５は、円盤状の台座１５ａの片面中央に円柱状の突部１５ｂを設けた形状となる。この突部１５ｂの外径は、ソケット本体１３の先端面に設けた貫通孔１３ｂの内径とほぼ一致或いは若干小さく設定しており、突部１５ｂの先端は、ソケット本体１３の先端面１３ａから外側に突出可能となっている。さらに、ソケット本体１３内には、コイルスプリング１６を圧縮状態で収納する。このコイルスプリング１６の一端は、ソケット本体１３の内壁面に接触し、コイルスプリング１６の他端は第１弁体１５の裏面に接触する。そして、第１弁体１５は、コイルスプリング１６の伸長しようとする弾性復元力により、先端へ向けて付勢される。
【００２２】
これにより、図１（ｂ），図２（ｂ）に示すように、プラグ本体１２とソケット本体１３とが離反している状態では、突部１５ｂは、ソケット本体１３の先端面１３ａよりも外に突出し、第１弁体１５が貫通孔１３ｂを塞ぐ。また、突部１５ｂが内方へ付勢されると、コイルスプリング１６は、弾性変形して圧縮され、第１弁体１５が後退移動し、貫通孔１３ｂが開口する。
【００２３】
さらに本実施形態では、貫通孔１３ｂの内面並びに第１弁体１５の台座１５ａの側面が共に傾斜面となり、互いに接触して貫通孔１３ｂを閉塞する。気密性をより高めるためには、互いの接触面の少なくとも一方にＯリングや、パッキンを設けることである。接触面を互いに傾斜面とすることで、より確実に閉塞することができるが、突部１５ｂを設けた台座１５ａの面と、ソケット本体１３の先端面１３ａの裏面とが接触して閉塞するようにしてもよい。
【００２４】
一方、プラグ本体１２は、全体としては中空の円筒状となる。そのプラグ本体１２の後端側にて、紐状部１０の一端にカシメ付けその他の方法で固定されている。また、プラグ本体１２の先端面１２ａの中央部位は、貫通孔１２ｂを設けている。
【００２５】
そして、プラグ本体１２内の先端近傍には、第２弁体１８が配置される。この第２弁体１８は、円盤状の台座１８ａの片面中央に円柱状の突部１８ｂを設けた形状となる。この突部１８ｂの外径は、プラグ本体１２の先端面に設けた貫通孔１２ｂの内径とほぼ一致或いは若干小さく設定しており、突部１８ｂの先端は、プラグ本体１２の先端面１２ａから外側に突出可能となっている。さらに、プラグ本体１２内には、コイルスプリング１６を圧縮状態で収納する。このコイルスプリング１６の一端は、プラグ本体１２の内壁面に接触し、コイルスプリング１６の他端は第２弁体１８の裏面に接触する。そして、第２弁体１８は、コイルスプリング１６の伸長しようとする弾性復元力により、先端へ向けて付勢される。
【００２６】
これにより、図１（ｂ），図２（ｂ）に示すように、プラグ本体１２がソケット本体１３から離反している状態では、突部１８ｂは、プラグ本体１２の先端面１２ａよりも外に突出し、第２弁体１８が貫通孔１２ａを塞ぐ。また、突部１８ｂが内方へ付勢されると、コイルスプリング１６は、弾性変形して圧縮され、第２弁体１８が後退移動し、貫通孔１２ｂが開口する。さらに、貫通孔１２ｂの内面並びに第２弁体１８の台座１８ａの側面が共に傾斜面となり、互いに接触して貫通孔１２ｂを閉塞する。気密性をより高めるためには、互いの接触面の少なくとも一方にＯリングや、パッキンを設けることである。
【００２７】
そして、図１（ａ）に示すように、プラグ本体１２とソケット本体１３の先端面同士を突合わせて連結すると、互いに設けた第１，第２弁体１５，１８の突部１５ｂ，１８ｂ同士が相互に押し合い、それぞれが後退移動する。よって、図２（ａ）に示すように、プラグ本体１２とソケット本体１３の貫通孔１２ｂ，１３ｂが共に開口し（弁が開き）、プラグ本体１２とソケット本体１３の内部同士がつながる。
【００２８】
また、プラグ本体１２の内部空間内には、液体の貯留部材１７を収納している。この貯留部材１７は、実際にはスポンジ等の多孔質なものを用いると良い。この貯留部材１７に香水を含ませて貯留し、そこから徐々に揮発して発散するようになる。また、プラグ本体１２の側面には、複数の小孔部１２ｃを設けており、貯留部材１７から発散した香水が、小孔部１２ｃを介して外部に流出する。
【００２９】
そして、この貯留部材１７に含ませる香水（液体）は、ポンプ２０から排出されたものを利用する。すなわち、上述したように、プラグ本体１２とソケット本体１３とを連結した状態では、両弁体１５，１８はともに後退移動し、内部空間が連通している。その状態で、操作レバー２１を１回軸方向に移動すると、ポンプ２０から１回分の香水が流出し、その流出した香水がプラグ本体１２内へ移動し、一旦、貯留部材１７内に吸収される。その一部は、移動中に揮発し、プラグ本体１２内をすすみ、小孔部１２ｃから外部に発散する。また、貯留部材１７内に蓄えられた香水は、その後、徐々に揮発し、小孔部１２ｃから外部に発散する。
【００３０】
留め具１１は身体の特に首回りに位置しているので、小孔部１２ｃから外部に発散した香水（気体）は、周囲並びに身体に付着する。よって、ネックレス自体が持つ機能に加え、香水という香りを発生する機能も備えることができる。
【００３１】
図３は、別の実施形態を示している。上述した実施形態では、操作レバー２１を別途操作することでポンプ２０内の香水を流出させるようにした。そのため、ネックレスを装着中であっても、適宜のタイミングで操作レバー２１を操作することで、香水を発散させることができるという効果が期待できる一方、プラグ本体１２とソケット本体１３とを連結するといった留め具（ネックレス）を装着する処理と、操作レバー２１の操作を別々に行う必要があった。そこで、本実施形態では、プラグ本体１２とソケット本体１３とを連結する処理を行うことで、自動的にポンプ２０からの香水の排出を行うことができるようにした。
【００３２】
具体的には、図３に示すように、操作レバーは設けず、第１弁体１５の台座１５ａの裏面側がポンプ２０に接触可能にしている。そして、プラグ本体１２とソケット本体１３のセンタ同士を連結し、両弁体１５，１８を互いに後退移動させると、その第１弁体１５の移動に追従してポンプ２０の操作部が移動し、１回分の香水を流出させる。このとき、第１弁体１５がポンプ２０の操作部を直接押下してもよいし、各種の連結部材を介して間接的に操作してもよい。さらには、たとえばポンプ２０の底面を押下しポンプの容器本体全体を移動させることで、ソケット本体１３内で位置が固定されている操作部を相対的に移動させるようにしてもよい。
【００３３】
係る構成をとると、プラグ本体１２とソケット本体１３とを連結する処理を行うことで、両弁体１５，１８が互いに後退移動して弁が開き、プラグ本体１２とソケット本体１３とが連通するとともに、ワンプッシュ式のポンプ２０が１回押されて所定量の香水が排出される。これにより、係る排出された香水がプラグ本体１２内に移動し、貯留部材１７内に充填される。また、ポンプ２０は、ワンプッシュ式で内部に噴射用ガスなど充填されておらず、操作部を押す操作に伴い、所定量の内容物が流出し、そのまま押し続けたとしても内容物である香水が出続けることはない。また、プラグ本体１２とソケット本体１３とを離反すると、コイルスプリング１６によって、第１，第２弁体１５，１８は前進移動して貫通孔１２ｂ，１３ｂを閉塞する。このとき、ポンプ２０の操作部も元の位置に復帰するので、次にプラグ本体１２とソケット本体１３の先端同士を連結したことに伴い、ポンプ２０の操作部が所定方向に移動し、所定量の香水か流出される。よって、プラグ本体１２とソケット本体１３とを着脱する都度、タンク２０から香水が１回分ずつ搬出され、しかも、そのための特別に処理か不要となるので好ましい。
【００３４】
また、ソケット本体１３の側面には、香水注入口１３ｃが設けられている。また、香水が外部に排出されるための通気口を構成する小貫通孔１２ｃは、複数（本例では３個）を軸方向に並べて配置している。そして、その小貫通孔１２ｃの形成位置におけるプラグ本体１２の側面外周囲には、その小貫通孔１２ｃを閉塞可能な可動式蓋２２が設けられている。この可動式蓋２２は、軸方向に移動可能となっており、全ての小貫通孔１２ｃを閉塞して貯留部材１７内から揮発する香水を留め具１１の外に発散するのを抑止するようにしたり、外部に開口する小貫通孔１２ｃの数を調整して発散量を調整可能としたりできる。係る機構は、上述した実施形態にも適用できる。
なお、その他の構成並びに作用効果は上述した実施形態と同様であるので、対応する部材に同一符号を付し、その詳細な説明を省略する。
【００３５】
図４は、さらに別の実施形態を示している。本実施形態では、上述した２つの実施形態と相違し、一方（ここでは、プラグ本体１２）にタンク２０と貯留部材１７を設けている。そして、プラグ本体１２とソケット本体１３のセンタ同士を連結したことに伴い第２弁体１８が後退移動すると、タンク２０の操作部が移動し内部の香水が排出されて隣接する貯留部材１７内に移され、その後、その貯留部材１７から一定期間香水が発散する。また、ソケット本体１３の先端面１３ａの中央には、突部１３ｄを設けており、その突部１３ｄにて、第２弁体１８を押圧するようにしている。
【００３６】
係る構成をとると、プラグ本体１２とソケット本体１３とを連結する処理を行うことで、第２弁体１８が後退移動し、ワンプッシュ式のポンプ２０が１回押されて所定量の香水が排出される。これにより、係る排出された香水がプラグ本体１２内で移動し、貯留部材１７内に充填される。よって、その後は、一定期間、貯留部材１７から気化した香水が放出され、小孔部１３ｃから周囲に発散する。
【００３７】
また、ポンプ２０は、ワンプッシュ式で内部に噴射用ガスなど充填されておらず、操作部を押す操作に伴い、所定量の内容物が流出し、そのまま押し続けたとしても内容物である香水が出続けることはない。また、プラグ本体１２とソケット本体１３とを離反すると、コイルスプリング１６によって、第２弁体１８は前進移動して貫通孔１２ｂを閉塞する。このとき、ポンプ２０の操作部も元の位置に復帰するので、次にプラグ本体１２とソケット本体１３の先端同士を連結したことに伴い、ポンプ２０の操作部が所定方向に移動し、所定量の香水が流出される。よって、プラグ本体１２とソケット本体１３とを着脱する都度、タンク２０から香水が１回分ずつ搬出され、しかも、そのための特別に処理か不要となるので好ましい。
【００３８】
また、本実施形態では、第２弁体１８の移動に伴いポンプ２０の操作部が移動して香水が排出されるようにしたが、必ずしも弁機構にする必要はない。さらに本実施形態では、タンク２０および貯留部材１７をプラグ本体１２側に設けたが、本発明ではこれに限ることはなく、ソケット本体１３側に設けてもよい。なお、その他の構成並びに作用効果は上述した実施形態と同様であるので、対応する部材に同一符号を付し、その詳細な説明を省略する。
【００３９】
また、上記の実施形態では、いずれもプラグ本体１２並びにソケット本体１３は、紐状部の両端にそれぞれ固定的に取り付けているが、本発明はこれに限ることはなく、取り外し可能としてもよい。そのようにすると、その日の体調・気分により異なる香水の留め具を取り付けることで、最適な香水を利用できる。また、逆に使用する香水は同じにしつつ、紐状部を交換することで装飾・機能を変えることができる。
さらにまた、本発明のアクセサリーとしては、ネックレスに限ることはなく、ブレスレッド等でもよく、留め具で着脱する紐状部を備えていれば各種のものに利用できる。
【図１】
2011098042.tif 000003
【図２】
2011098042.tif 000004
【図３】
2011098042.tif 000005
【図４】
2011098042.tif 000006